(57)【要約】  【課題】  流水管中を流動する浄水を、効果的に磁化することにより、洗剤や溶剤等の化学薬品の使用量を大幅に削減できるクリーニングシステム、およびそれを利用したクリーニング方法、ならびにそれに使用可能な磁石内蔵管を提供する。  【解決手段】  洗浄機１に、軟水装置５を設けた洗浄用給水管路３および濯ぎ用給水管路４を並列状に接続すると共に、双方３，４の中途適所に管路本体６１内の一方側にＮ極用永久磁石７１を配し、水流空間６２を挟んだ反対側にＳ極用永久磁石８１を配した磁石内蔵管６，６を個別に介在させたクリーニングシステムである。【選択図】    図１
2006087752.tif 000002
【特許請求の範囲】
【請求項１】
洗浄機に洗浄用給水管路および濯ぎ用給水管路を並列状に接続すると共に、該洗浄用給水管路の中途適所には軟水装置を設けた上、当該洗浄用給水管路における洗浄機と軟水装置との中間適所、および当該濯ぎ用給水管路の中途適所との夫々には、所定長の水流空間を貫通、形成した管路本体を有し、該管路本体中の水流空間を挟む周壁内の一方側に、その管路長所定範囲に渡って水流空間にＮ極面を露出するよう規制してＮ極用永久磁石を配すると共に、当該水流空間を挟んで略対称配置となる周壁内の他方側に、前記Ｎ極用永久磁石の露出Ｎ極面に対し、同水流空間を挟んでＳ極面が対面、露出するよう規制してＳ極用永久磁石を配してなる磁石内蔵管を個別に介在、連結するようにしたことを特徴とするクリーニングシステム。
【請求項２】
洗浄機に洗浄用給水管路および濯ぎ用給水管路を並列状に接続すると共に、該洗浄用給水管路の中途適所には軟水装置を設けた上、当該洗浄用給水管路における洗浄機と軟水装置との中間適所、および当該濯ぎ用給水管路の中途適所との夫々には、所定長の水流空間を貫通、形成した管路本体を有し、該管路本体中の水流空間を挟む周壁内の一方側に、その管路長所定範囲に渡って水流空間にＮ極面を露出するよう規制してＮ極用永久磁石を配すると共に、当該水流空間を挟んで略対称配置となる周壁内の他方側に、前記Ｎ極用永久磁石の露出Ｎ極面に対し、同水流空間を挟んでＳ極面が対面、露出するよう規制してＳ極用永久磁石を配し、夫々の永久磁石が管路本体内において所定間隙を隔てて水流空間に直接臨むようにした磁石内蔵管を個別に介在、連結するようにしたことを特徴とするクリーニングシステム。
【請求項３】
同一の給水管から分岐させた洗浄用給水管路および濯ぎ用給水管路の各吐出端を、夫々接続対象数に応じ分岐させて各々洗浄機に接続すると共に、当該洗浄用給水管路の給水側の分岐箇所と洗浄機用の吐出端側分岐箇所に至らない箇所との中途適所に軟水装置を設けた上、同洗浄用給水管路の軟水装置の先であって洗浄機用の吐出端側分岐箇所に至らない箇所の中途適所、および当該濯ぎ用給水管路の給水側の分岐箇所と洗浄機用の吐出端側分岐箇所に至らない箇所との中途適所の夫々には、所定長の水流空間を貫通、形成した管路本体を有し、該管路本体中の水流空間を挟む周壁内の一方側に、その管路長所定範囲に渡って水流空間にＮ極面を露出するよう規制してＮ極用永久磁石を配すると共に、当該水流空間を挟んで略対称配置となる周壁内の他方側に、前記Ｎ極用永久磁石の露出Ｎ極面に対し、同水流空間を挟んでＳ極面が対面、露出するよう規制してＳ極用永久磁石を配してなる磁石内蔵管を個別に介在、連結するようにしたことを特徴とするクリーニングシステム。
【請求項４】
浄水を軟水装置に通過させて軟水化した後に、該軟水装置よりも川下側となる洗浄用給水管路中途に介在されていて、管路本体中の水流空間を挟む周壁内の一方側に、その管路長所定範囲に渡って水流空間にＮ極面を露出するよう規制してＮ極用永久磁石を配すると共に、当該水流空間を挟んで略対称配置となる周壁内の他方側に、前記Ｎ極用永久磁石の露出Ｎ極面に対し、同水流空間を挟んでＳ極面が対面、露出するよう規制してＳ極用永久磁石を配してなる構成とした磁石内蔵管における水流空間を通過させ、その過程で磁化活性水として洗浄機に供給し、洗剤不使用か、洗剤使用量を５０％以上削減するかした条件下で洗浄対象物を所定時間に渡って洗浄した後に排水してしまい、その後、新たな浄水を前記と同様の磁石内蔵管を通過させてなる磁化活性水を当該洗浄機に供給し、所定時間に渡る濯ぎ洗いを行ってから排水した上、引き続き脱水・乾燥工程を実施するようにしたことを特徴とする、請求項１ないし３何れか一項記載のクリーニングシステムを利用したクリーニング方法。
【請求項５】
洗浄機に並列状に接続された洗浄用給水管路と濯ぎ洗い用給水管路との中、洗浄用給水管路を通じて供給される浄水を軟水装置に通過させて軟水化した後に、該軟水装置よりも川下側となる洗浄用給水管路中途に介在されていて、管路本体中の水流空間を挟む周壁内の一方側に、その管路長所定範囲に渡って水流空間にＮ極面を露出するよう規制してＮ極用永久磁石を配すると共に、当該水流空間を挟んで略対称配置となる周壁内の他方側に、前記Ｎ極用永久磁石の露出Ｎ極面に対し、同水流空間を挟んでＳ極面が対面、露出するよう規制してＳ極用永久磁石を配してなる構成とした磁石内蔵管における水流空間を通過させ、その過程で磁化活性水として洗浄機に供給し、洗剤不使用か、洗剤使用量を５０％以上削減するかした条件下で洗浄対象物を所定時間に渡って洗浄した後に排水してしまい、その後、濯ぎ洗い用給水管路を通じて供給される新たな浄水を、前記と同様の磁石内蔵管を通過させてなる磁化活性水を当該洗浄機に供給し、所定時間に渡る濯ぎ洗いを行ってから排水した上、引き続き脱水・乾燥工程を実施するようにしたことを特徴とする、請求項１ないし３何れか一項記載のクリーニングシステムを利用したクリーニング方法。
【請求項６】
洗浄機に並列状に接続された洗浄用給水管路と濯ぎ洗い用給水管路との中、洗浄用給水管路を通じて供給される浄水を軟水装置に通過させて軟水化した後に、該軟水装置よりも川下側となる洗浄用給水管路中途に介在されていて、管路本体中の水流空間を挟む周壁内の一方側に、その管路長所定範囲に渡って水流空間にＮ極面を露出するよう規制してＮ極用永久磁石を配すると共に、当該水流空間を挟んで略対称配置となる周壁内の他方側に、前記Ｎ極用永久磁石の露出Ｎ極面に対し、同水流空間を挟んでＳ極面が対面、露出するよう規制してＳ極用永久磁石を配してなる構成とした磁石内蔵管における水流空間を通過させ、その過程で磁化活性水とし、複数台の洗浄機に適時、個別的に供給し、各洗浄機が、洗剤不使用か、洗剤使用量を５０％以上削減するかした条件下で洗浄対象物を所定時間に渡って洗浄した後に排水してしまい、その後、濯ぎ洗い用給水管路を通じて供給される新たな浄水を、前記と同様の磁石内蔵管を通過させてなる磁化活性水を、各洗浄機に適時、供給して夫々が所定時間に渡り、個別に濯ぎ洗いを行ってから排水した上、引き続き脱水・乾燥工程を適時に実施するようにしたことを特徴とする、請求項１ないし３何れか一項記載のクリーニングシステムを利用したクリーニング方法。
【請求項７】
管路本体中の水流空間を挟む周壁内の一方側に、その管路長所定範囲に渡って水流空間にＮ極面を露出するよう規制してＮ極用永久磁石を配すると共に、当該水流空間を挟んで略対称配置となる周壁内の他方側に、前記Ｎ極用永久磁石の露出Ｎ極面に対し、同水流空間を挟んでＳ極面が対面、露出するよう規制してＳ極用永久磁石を配してなる構成とした、請求項１ないし３何れか一項記載のクリーニングシステムに使用可能な、あるいは請求項４ないし６何れか一項記載のクリーニング方法に利用可能な磁石内蔵管。
【請求項８】
管路本体中の水流空間を挟む周壁内の一方側に、その管路長所定範囲に渡って複数個の永久磁石が配列され、水流空間に各Ｎ極面を露出するよう規制したＮ極用永久磁石群を配すると共に、当該水流空間を挟んで略対称配置となる周壁内の他方側に、前記Ｎ極用永久磁石群の各露出Ｎ極面に対し、同水流空間を挟んで複数個の永久磁石が配列され、各Ｓ極面が対面、露出するよう規制されたＳ極用永久磁石群を配してなる構成とした、請求項１ないし３何れか一項記載のクリーニングシステムに使用可能な、あるいは請求項４ないし６何れか一項記載のクリーニング方法に利用可能な磁石内蔵管。
【請求項９】
管路本体中の水流空間を挟む周壁内の一方側に、その管路長所定範囲に渡っり、水流方向に複数個に分割された平板状に形成され、同水流空間に露出する一面を夫々Ｎ極面とするよう規制したフェライト磁石を配列し、Ｎ極用フェライト磁石群を形成、配置すると共に、当該水流空間を挟んで略対称配置となる周壁内の他方側に、前記Ｎ極用フェライト磁石群の各露出Ｎ極面に対し、水流空間を挟んで略対称的形状、配置とした複数個のフェライト磁石の各Ｓ極面を対面、露出するよう規制したＳ極用フェライト磁石群を配してなる構成とした、請求項１ないし３何れか一項記載のクリーニングシステムに使用可能な、あるいは請求項４ないし６何れか一項記載のクリーニング方法に利用可能な磁石内蔵管。
【請求項１０】
管路本体が、その内側に、水流方向の断面を矩形状とし、対面する２面の中一方を平面状のＮ極面とし、他方を該Ｎ極面と平行、且つ平面状のＳ極面とした上、Ｎ極面とＳ極面との対面距離を、Ｎ極面とＳ極面との水流に直交する方向の幅寸法よりも狭く設定した概略四角柱状の水流空間を貫通、形成したものとしてなる、請求項７ないし９何れか一項記載の磁石内蔵管。
【請求項１１】
Ｎ極用永久磁石およびＳ極用永久磁石、またはＮ極用永久磁石群およびＳ極用永久磁石群、もしくはＮ極用フェライト磁石群およびＳ極用フェライト磁石群が、凡そ２００ないし４００Ｇの磁力を発生するものとされ、管路本体水流方向の凡そ５００ｍｍ前後に渡り、約２５ないし３５ｍｍ前後の距離を隔てて対面、配設されたものとしてなる、請求項７ないし９何れか一項記載の磁石内蔵管。
【請求項１２】
Ｎ極用永久磁石群およびＳ極用永久磁石群、またはＮ極用フェライト磁石群およびＳ極用フェライト磁石群が、水流方向の長さ寸法が５０ないし１００ｍｍ前後、水流に直交する方向の幅寸法が７０ないし８０ｍｍ前後、厚み寸法が１５ｍｍ前後に形成された、Ｎ極用磁石の複数個およびＳ極用磁石の複数個を、夫々水流方向に沿って約２５ないし３５ｍｍ前後の距離を隔てて対面状に配列したものとしてなる、請求項７ないし９何れか一項記載の磁石内蔵管。
【発明の詳細な説明】
【技術分野】
【０００１】
この発明は、クリーニングに関連するあらゆる分野をその技術分野とするものであって、クリーニングに欠かせない洗剤の使用量を減らすか、場合によっては無くすことを可能とする水質の活性化を伴うシステムとそれ用の水質活性化装置とを実現、製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野、その他現時点で想定できない新たな分野までと、関連しない技術分野はない程である。                                                                                    
【背景技術】
【０００２】
（着眼点）
衣類のクリーニングや寝具類の丸洗い等には、一般にドライ溶剤を使用したドライクリーニングが広く行われているが、皮膚過敏症や化学物質過敏症、アトピー性皮膚炎、喘息等の症状に悩まされている人々には、こうした洗剤や溶剤等の使用によって症状を悪化させてしまう虞れがあることと、クリーニング工場からの排水からそれら各種含有成分を取り除いて公害を引き起こしてしまわないようにしなければならないこと等のために、可能な限り化学薬品の使用を控えるのが望ましく、このような市場ニーズに応えようとオゾン水の酸化分解力を利用したり、あるいはアルカリイオン水の浸透力および浄化力を利用したりなどするようにして、できる限り洗剤を使用しないで済ますことができるようにしようとする技術開発が注目されている。
【０００３】
（従来の技術）
このような目的を達成しようとする従前からのクリーニング手段には、浄水に磁化処理を施すことによって浸透力、溶解力、洗浄力、浄化力を高めた磁気活性水を用いることも有効であるということが知られており、例えば、特開平８−２４３５６６号公報「磁化記憶水の製造装置」発明に開示されている、保磁力及び透磁率に秀れたアモルファス金属製円筒体の外周に、非磁性の本体と、その外周に捲回されたコイル（電磁石）とを有し、該円筒体の一方端から他方端に浄水を流し、コイルに電流を流すことによって磁化した流水を洗濯や洗浄に用いようとするものや、特開２００２−３５７６０号公報に開示された「水分の磁気改質方法」発明のように、被洗濯物を受ける槽と、洗濯水を受ける槽とからなる洗濯槽に、磁石を介在せしめた電気洗濯機とするもの、あるいは特開２００４−１２１７９１号公報「磁性水電気洗濯機」発明の、電気洗濯機本体内に軟磁性体の回転洗濯槽を設け、本体の回転洗濯槽側の一部に永久磁石を設置してなるもの等が既に開発されている。
【０００４】
また、パイプ中を流れる流水を磁化する技術には、前記「磁化記憶水の製造装置」の外にも、特開２００１−２４４１１３号公報「液体用磁化装置」発明にある、流水配管の周壁面外側に挾着可能としたケーシング内に永久磁石を対峙させて配設し、該永久磁石の周囲に防水処理を施したものや、特開２００１−３１０１９０号公報に記載された「水処理道管」発明のように、給水管の一部を形成する磁力線を透過可能な合成樹脂製の道管であって、その周壁面肉厚中に、永久磁石のＮ極およびＳ極を相互に対峙するよう隠蔽状に埋設してなるもの等が知られる。
【０００５】
こうした水道管や給水管等に設けられる磁化装置類は、業務用のクリーニング装置や一般家庭向けの洗濯機等の他、食器洗浄機や自動車洗浄機等といった幅広い分野への応用が可能であるものの、前者の「水分の磁気改質方法」や「磁性水電気洗濯機」等に開示されている公知技術の場合、同じく公知技術で洗濯機洗濯槽内の水を直接的に磁化するものに比較し、配管周壁面の外側もしくは肉厚中に設けられた永久磁石により、管路壁面を介して管路中を通過する流動水を間接的に磁化するものとなってしまうため、浄水を効果的に磁化するには、より強い磁力を発生する磁石を装着する必要があり、磁化装置自体が大型化してしまったり、小型計量化を求める場合には、勢い非常に高価なものとなってしまうという欠点があった。                                                                              
【特許文献１】（１）特開平８−２４３５６６号公報    （２）特開２００２−３５７６０号公報    （３）特開２００４−１２１７９１号公報    （４）特開２００１−２４４１１３号公報    （５）特開２００１−３１０１９０号公報
【発明の開示】
【発明が解決しようとする課題】
【０００６】
（問題意識）
この発明は、以上のように、これまでに開発されてきた流水用の磁化装置は、多くが水道管や給水管の周壁面外側に電磁石や永久磁石を装着したものか、あるいは永久磁石を配管の肉厚中に隠蔽状に内蔵したものであり、何れも配管の肉厚部分を透過して内部を流通する水等の流体中に磁場を発生させるものとなっており、流体に対して直接的な磁力を加えることができず、その結果、より強い磁力を発生する磁石が必要となり、磁化装置の大型化を招くか、あるいは小型化のためにさらに高性能で高価な永久磁石が必要となってしまうという欠点があり、比較的低廉な磁石を使用して、より高い磁化性能を発揮して洗浄効果が期待できるようにしたクリーニングシステム技術の開発が待ち望まれている。
【０００７】
（発明の目的）
そこで、この発明は、比較的低廉に入手可能な永久磁石を使用したとしても、流水管中を流動する水等の液体をより効果的に磁化可能とし、洗浄効果を高めた洗浄用水としてクリーニングに使用することにより、洗剤や溶剤等の化学薬品の使用量を大幅に削減できるようにする衣類や寝具類のクリーニング技術を実現、提供することはできないものかとの判断から、逸速くその開発、研究に着手し、長期に渡る試行錯誤と幾多の試作、実験とを繰り返してきた結果、今回、遂に新規な構造のクリーニングシステム、およびそれを利用した新規なクリーニング方法、ならびにそれに使用可能な新規な構造の磁石内蔵管を実現化することに成功したものであり、以下では、図面に示すこの発明を代表する実施例と共に、その構成を詳述することとする。                                                                            
【課題を解決するための手段】
【０００８】
（発明の構成）
図面に示すこの発明を代表する実施例からも明確に理解されるように、この発明に包含されるクリーニングシステムは、基本的に次のような構成から成り立っている。
即ち、洗浄機に洗浄用給水管路および濯ぎ用給水管路を並列状に接続すると共に、該洗浄用給水管路の中途適所には軟水装置を設けた上、当該洗浄用給水管路における洗浄機と軟水装置との中間適所、および当該濯ぎ用給水管路の中途適所との夫々には、所定長の水流空間を貫通、形成した管路本体を有し、該管路本体中の水流空間を挟む周壁内の一方側に、その管路長所定範囲に渡って水流空間にＮ極面を露出するよう規制してＮ極用永久磁石を配すると共に、当該水流空間を挟んで略対称配置となる周壁内の他方側に、前記Ｎ極用永久磁石の露出Ｎ極面に対し、同水流空間を挟んでＳ極面が対面、露出するよう規制してＳ極用永久磁石を配してなる磁石内蔵管を個別に介在、連結するようにした構成を要旨とするクリーニングシステムである。
【０００９】
これを換言すると、洗浄機に洗浄用給水管路および濯ぎ用給水管路を並列状に接続すると共に、該洗浄用給水管路の中途適所には軟水装置を設けた上、当該洗浄用給水管路における洗浄機と軟水装置との中間適所、および当該濯ぎ用給水管路の中途適所との夫々には、所定長の水流空間を貫通、形成した管路本体を有し、該管路本体中の水流空間を挟む周壁内の一方側に、その管路長所定範囲に渡って水流空間にＮ極面を露出するよう規制してＮ極用永久磁石を配すると共に、当該水流空間を挟んで略対称配置となる周壁内の他方側に、前記Ｎ極用永久磁石の露出Ｎ極面に対し、同水流空間を挟んでＳ極面が対面、露出するよう規制してＳ極用永久磁石を配し、夫々の永久磁石が管路本体内において所定間隙を隔てて水流空間に直接臨むようにした磁石内蔵管を個別に介在、連結するようにしたクリーニングシステムとなる。
【００１０】
そして、上記のとおりの基本的な構成からなるこの発明のクリーニングシステムを、より具体的なものとして示すと、同一の給水管から分岐させた洗浄用給水管路および濯ぎ用給水管路の各吐出端を、夫々接続対象数に応じ分岐させて各々洗浄機に接続すると共に、当該洗浄用給水管路の給水側の分岐箇所と洗浄機用の吐出端側分岐箇所に至らない箇所との中途適所に軟水装置を設けた上、同洗浄用給水管路の軟水装置の先であって洗浄機用の吐出端側分岐箇所に至らない箇所の中途適所、および当該濯ぎ用給水管路の給水側の分岐箇所と洗浄機用の吐出端側分岐箇所に至らない箇所との中途適所の夫々には、所定長の水流空間を貫通、形成した管路本体を有し、該管路本体中の水流空間を挟む周壁内の一方側に、その管路長所定範囲に渡って水流空間にＮ極面を露出するよう規制してＮ極用永久磁石を配すると共に、当該水流空間を挟んで略対称配置となる周壁内の他方側に、前記Ｎ極用永久磁石の露出Ｎ極面に対し、同水流空間を挟んでＳ極面が対面、露出するよう規制してＳ極用永久磁石を配してなる磁石内蔵管を個別に介在、連結するようにしたクリーニングシステムということが可能である。
【００１１】
（関連する発明１）
上記クリーニングシステムに関連し、この発明には、当該クリーニングシステムを利用したクリーニング方法も包含しており、それは基本的に以下のような構成から成り立っている。
即ち、浄水を軟水装置に通過させて軟水化した後に、該軟水装置よりも川下側となる洗浄用給水管路中途に介在されていて、管路本体中の水流空間を挟む周壁内の一方側に、その管路長所定範囲に渡って水流空間にＮ極面を露出するよう規制してＮ極用永久磁石を配すると共に、当該水流空間を挟んで略対称配置となる周壁内の他方側に、前記Ｎ極用永久磁石の露出Ｎ極面に対し、同水流空間を挟んでＳ極面が対面、露出するよう規制してＳ極用永久磁石を配してなる構成とした磁石内蔵管における水流空間を通過させ、その過程で磁化活性水として洗浄機に供給し、洗剤不使用か、洗剤使用量を５０％以上削減するかした条件下で洗浄対象物を所定時間に渡って洗浄した後に排水してしまい、その後、新たな浄水を前記と同様の磁石内蔵管を通過させてなる磁化活性水を当該洗浄機に供給し、所定時間に渡る濯ぎ洗いを行ってから排水した上、引き続き脱水・乾燥工程を実施するようにした前記何れかに記載のクリーニングシステムを利用したクリーニング方法である。
【００１２】
より具体的には、洗浄機に並列状に接続された洗浄用給水管路と濯ぎ洗い用給水管路との中、洗浄用給水管路を通じて供給される浄水を軟水装置に通過させて軟水化した後に、該軟水装置よりも川下側となる洗浄用給水管路中途に介在されていて、管路本体中の水流空間を挟む周壁内の一方側に、その管路長所定範囲に渡って水流空間にＮ極面を露出するよう規制してＮ極用永久磁石を配すると共に、当該水流空間を挟んで略対称配置となる周壁内の他方側に、前記Ｎ極用永久磁石の露出Ｎ極面に対し、同水流空間を挟んでＳ極面が対面、露出するよう規制してＳ極用永久磁石を配してなる構成とした磁石内蔵管における水流空間を通過させ、その過程で磁化活性水として洗浄機に供給し、洗剤不使用か、洗剤使用量を５０％以上削減するかした条件下で洗浄対象物を所定時間に渡って洗浄した後に排水してしまい、その後、濯ぎ洗い用給水管路を通じて供給される新たな浄水を、前記と同様の磁石内蔵管を通過させてなる磁化活性水を当該洗浄機に供給し、所定時間に渡る濯ぎ洗いを行ってから排水した上、引き続き脱水・乾燥工程を実施するようにした、前記何れかに記載のクリーニングシステムを利用したクリーニング方法となる。
【００１３】
さらに具体的な構成のものして示すならば、洗浄機に並列状に接続された洗浄用給水管路と濯ぎ洗い用給水管路との中、洗浄用給水管路を通じて供給される浄水を軟水装置に通過させて軟水化した後に、該軟水装置よりも川下側となる洗浄用給水管路中途に介在されていて、管路本体中の水流空間を挟む周壁内の一方側に、その管路長所定範囲に渡って水流空間にＮ極面を露出するよう規制してＮ極用永久磁石を配すると共に、当該水流空間を挟んで略対称配置となる周壁内の他方側に、前記Ｎ極用永久磁石の露出Ｎ極面に対し、同水流空間を挟んでＳ極面が対面、露出するよう規制してＳ極用永久磁石を配してなる構成とした磁石内蔵管における水流空間を通過させ、その過程で磁化活性水とし、複数台の洗浄機に適時、個別的に供給し、各洗浄機が、洗剤不使用か、洗剤使用量を５０％以上削減するかした条件下で洗浄対象物を所定時間に渡って洗浄した後に排水してしまい、その後、濯ぎ洗い用給水管路を通じて供給される新たな浄水を、前記と同様の磁石内蔵管を通過させてなる磁化活性水を、各洗浄機に適時、供給して夫々が所定時間に渡り、個別に濯ぎ洗いを行ってから排水した上、引き続き脱水・乾燥工程を適時に実施するようにした、前記何れかに記載のクリーニングシステムを利用したクリーニング方法ということが可能である。
【００１４】
（関連する発明２）
更に、この発明の骨幹を成すクリーニングシステムと、上記したクリーニング方法とに関連し、この発明には、それらに使用可能な磁石内蔵管も含み、その基本的構成は、次のようなものである。
即ち、管路本体中の水流空間を挟む周壁内の一方側に、その管路長所定範囲に渡って水流空間にＮ極面を露出するよう規制してＮ極用永久磁石を配すると共に、当該水流空間を挟んで略対称配置となる周壁内の他方側に、前記Ｎ極用永久磁石の露出Ｎ極面に対し、同水流空間を挟んでＳ極面が対面、露出するよう規制してＳ極用永久磁石を配してなる構成とした、前記何れか記載のクリーニングシステムに使用可能な、あるいは前記何れか記載のクリーニング方法に利用可能な磁石内蔵管である。
【００１５】
より具体的には、管路本体中の水流空間を挟む周壁内の一方側に、その管路長所定範囲に渡って複数個の永久磁石が配列され、水流空間に各Ｎ極面を露出するよう規制したＮ極用永久磁石群を配すると共に、当該水流空間を挟んで略対称配置となる周壁内の他方側に、前記Ｎ極用永久磁石群の各露出Ｎ極面に対し、同水流空間を挟んで複数個の永久磁石が配列され、各Ｓ極面が対面、露出するよう規制されたＳ極用永久磁石群を配してなる構成とした、前記何れか記載のクリーニングシステムに使用可能な、あるいは前記何れか記載のクリーニング方法に利用可能な磁石内蔵管であるということができる。
【００１６】
そして、この発明の磁石内蔵管には、管路本体中の水流空間を挟む周壁内の一方側に、その管路長所定範囲に渡っり、水流方向に複数個に分割された平板状に形成され、同水流空間に露出する一面を夫々Ｎ極面とするよう規制したフェライト磁石を配列し、Ｎ極用フェライト磁石群を形成、配置すると共に、当該水流空間を挟んで略対称配置となる周壁内の他方側に、前記Ｎ極用フェライト磁石群の各露出Ｎ極面に対し、水流空間を挟んで略対称的形状、配置とした複数個のフェライト磁石の各Ｓ極面を対面、露出するよう規制したＳ極用フェライト磁石群を配してなる構成とした、前記何れか記載のクリーニングシステムに使用可能な、あるいは前記何れか記載のクリーニング方法に利用可能な磁石内蔵管が包含されている。                                                                                            
【発明の効果】
【００１７】
以上のとおり、この発明のクリーニングシステムによれば、洗浄機に洗浄用給水管路と濯ぎ用給水管路とを並列状に接続し、洗浄用給水管路の適所に設けられた軟水装置と、その川下側に配された磁石内蔵管とによって軟水化および磁化活性化された浄水を供給可能としてあることから、洗剤を全く使用しないか、あるいは洗剤使用量を大幅に減少させて洗浄した場合であっても、水道水に洗剤を投入して通常の洗浄を行った場合に比較し、格段に高い洗浄力を発揮することができると共に、濯ぎ用給水管路の適所に設けられた磁石内蔵管により、磁化活性された浄水を洗濯機に供給可能としたことにより、洗浄の対象物から洗浄工程で分離した汚れをより効果的に濯ぎ落とせ、従前までには得ることのできなかった高い洗浄能力を発揮するものとなる上、洗浄および濯ぎ洗いで発生した排水も、全く洗剤成分を含まないか、あるいは僅かな洗剤成分を含むだけで済ませることとなり、しかも排水自体が活性化されていて汚れを速やかに分解、浄化してしまい、汚水処理に伴う浄化処理工程への負荷を低減し、自然環境にも優しいクリーニングを実現、可能とするという非常に秀れた特徴が得られるものである。
【００１８】
また、この発明のクリーニング方法によれば、浄水を軟水装置に通過させ、軟水化した後に、磁石内蔵管を通過させて磁化活性水としてから、洗浄機に供給することによって洗浄力を格段に高め、洗剤を使用しなくとも十分な洗浄能力を発揮するものとなり、しかも僅かな洗剤を投入するだけで、洗剤の持つ本来の洗浄力を十二分に引き出すことができるので、硬水をそのまま使用した場合に比較して、皮膚過敏症や化学物質過敏症、アトピー性皮膚炎、喘息等の様々な症状に悩まされている人々にも、好ましいクリーニングを実現できるものとなり、しかも従来のクリーニングに比較して、洗浄機の洗浄槽も汚れにくく、衛生的に保たれるので機器の寿命を伸ばし、耐用年数を長くすることができるものとなり、高い経済性を実現するものとなる上、磁化活性水を用いて濯ぎを行うことにより、洗濯対象物の残留不純物を大幅に減少させることができ、洗浄ならびに濯ぎ洗いの各段階で排出される排水も活性に秀れ、排出後の比較的早期に浄化してしまうので、あらゆる面に秀れたクリーニングを実現、可能とすることができるという大きな効果を発揮するものである。
【００１９】
更に、この発明の磁石内蔵管によれば、当該発明のクリーニングシステムの洗浄機に並列状に接続された洗浄用給水管路ならびに濯ぎ用給水管路の夫々に、個別的に装着したことにより、洗浄機に供給される浄水を効果的に磁化活性させることができるものとなり、システム全体の洗浄力を大幅に高めることができると共に、洗浄や濯ぎから排水に至る過程で、機器および配管内部を洗浄してしまうという機能を発揮して機器類のトラブルを防止して長寿妙化できる上、排水自体も比較的速やかに自然、分解して浄化してしまうという性質を与えることができるので自然環境にも優しく、特に、管路本体内に水流空間を挟んだ一方側と他方側との夫々に、Ｎ極面とＳ極面とを露出状に対峙させた永久磁石を設けたことにより、従来型に比較して水流空間中に格段に高い磁束密度を発生させることが可能となり、比較的磁力の弱い低廉な永久磁石を用いた場合であっても、従来構造では到底得ることのできない密度の磁力線を発生させることができ、強い磁化活性を実現化することができるという顕著な効果を奏するものである。                                                                          
【発明を実施するための最良の形態】
【００２０】
上記したとおりの構成からなるこの発明の実施に際し、その最良もしくは望ましい形態について説明を加えることにする。
クリーニングシステムは、衣類のクリーニングや布団の丸洗い等を主たる目的とするものであるが、これのみに限定されず、レストラン等の業務用の食器洗い機や、工業用の各種洗浄装置、水産魚介類用の洗浄機等の外、一般家庭向けの各種洗浄機等にも使用可能なものである。
【００２１】
洗浄用給水管路は、一台もしくは複数台の洗浄機、夫々にクリーニングに好適となるよう活性化させた浄水を供給可能とする機能を果たすものであり、適所に軟水装置を設けると共に該軟水装置よりも川下側となる適所に磁石内蔵管を配したものとすべきであり、供給される浄水を軟水化した後に磁化活性水とするものとするのが望ましいが、軟水装置を磁石内蔵管よりも洗浄機側（川下側）となるよう配置して供給された浄水を磁化活性水化した後に、軟水装置を通過させ、軟水化するようにしたものとすることも可能である。
【００２２】
濯ぎ用給水管路は、一台もしくは複数台の洗浄機に、濯ぎ洗いに好適となるよう活性化された浄水を供給するという機能を果たし、一台もしくは複数台の洗浄機に対して、洗浄用給水管路と並列状の関係となるよう接続され、濯ぎ工程の段階に、磁気活性化水を供給できるよう、洗浄機よりも上流側となる適所に磁石内蔵管を配したものとしなければならず、磁石内蔵管の前後何れか適所に軟水装置を設たものとすることも可能である。
【００２３】
洗浄機は、洗浄の対象物を、洗浄用給水管路から供給された浄水によって洗浄して排水し、濯ぎ用給水管路から供給された浄水により、濯ぎ洗いした後に排水して洗浄対象物を全自動的もしくは半自動的に洗浄する機能を果たすものであり、濯ぎ洗い後に排水してから、適宜脱水および乾燥する機能を有するものとすることができる外、複数台を設置して同時にか、あるいは個別が適時に起動して洗浄するよう稼働するものとすることができ、例えば業務用洗濯機、家庭用洗濯機、食器洗い機、洗車装置等の外、あらゆる物の洗浄用に製造された業務用洗浄機、あるいは家庭用洗浄機等とすることが可能である。
【００２４】
クリーニング方法は、洗浄を終えた後に洗浄水を排水し、続いて濯ぎ洗いを実行するものとしているが、洗浄およびその排水工程を２回以上繰り返して行った後、濯ぎ洗いを実施するようにしたものとすることができる外、濯ぎ洗いとその排水も２回以上に渡って行うことが可能であり、また、複数の洗浄機を同時にか、あるいは適時に個別に稼働させて同様の洗浄を行うことが可能であり、さらに、当該発明の化学薬品類を極力使用しない洗浄という目的からは逸脱してしまうが、洗浄あるいは濯ぎ工程の適時等に柔軟剤や漂白剤等の各種薬品を供給することも可能である。
【００２５】
磁石内蔵管は、給水管路の途中に設けられて、管路中を通過する浄水を磁化することにより、活性化する機能を果たすものであり、水道等の浄水の供給管に接続された洗浄用給水管路の中途適所、および同浄水の供給管に接続された濯ぎ用給水管路の中途適所に、夫々個別に設けれらたものとすべきであり、少なくとも洗浄用給水管路の当該磁石内蔵管が設けられた箇所よりも上流側となる適所には、軟水装置を設けたものしなければならない。
【００２６】
管路本体は、水流空間を通過する浄水等の流体中に、磁場を発生可能とするよう、水流空間を挟んだ一方側にＮ極面を露出させたＮ極用永久磁石を、水流空間を挟んて対峙する他方側にＳ極面を露出させたＳ極用永久磁石を、夫々固定状に支持可能とし、水流空間を密閉状管路状に形成する機能を果たすものであり、各永久磁石を、夫々のＮ極面とＳ極面とを水流空間に向けて露出状とするよう当該管路本体周壁内側に、確りと固定したものとすべきであり、水流空間を流れる流体圧力に十分に耐える強度を有するものとしなければならず、永久磁石の設置箇所以外の周壁部分に不要な磁力が伝わり、磁力を損失しないよう、非磁性素材から形成されたものとするのが望ましく、例えば、塩化ビニル、ポリプロピレン、ポリエチレン等の合成樹脂製、真鍮や亜鉛合金、チタン、アルミニウム等の非鉄金属製、磁性をもたないステンレス鋼製等とすることができる。
【００２７】
管路本体をより具体的に示すと、その内側に水流方向の断面を矩形状とし、対面する２面の中一方を平面状のＮ極面とし、他方を該Ｎ極面と平行、且つ平面状のＳ極面とした上、Ｎ極面とＳ極面との対面距離を、Ｎ極面とＳ極面との水流に直交する方向の幅寸法よりも狭く設定した概略四角柱状の水流空間を貫通、形成したものとすることができ、さらに具体的に示すと、Ｎ極用永久磁石およびＳ極用永久磁石、またはＮ極用永久磁石群およびＳ極用永久磁石群、もしくはＮ極用フェライト磁石群およびＳ極用フェライト磁石群が、凡そ２００ないし４００Ｇの磁力を発生するものとされ、管路本体水流方向の凡そ５００ｍｍ前後に渡り、約２５ないし３５ｍｍ前後の距離を隔てて対面、配設されたものとするのが望ましく、また、Ｎ極用永久磁石群およびＳ極用永久磁石群、またはＮ極用フェライト磁石群およびＳ極用フェライト磁石群が、水流方向の長さ寸法が５０ないし１００ｍｍ前後、水流に直交する方向の幅寸法が７０ないし８０ｍｍ前後、厚み寸法が１５ｍｍ前後に形成された、Ｎ極用磁石の複数個およびＳ極用磁石の複数個を、夫々水流方向に沿って約２５ないし３５ｍｍ前後の距離を隔てて対面状に配列したものとすることが可能である。
【００２８】
Ｎ極用永久磁石は、管路本体内の水流空間を挟んだ一方側から、反対側へ向けてＮ極の磁力を発生し、水流空間の所定範囲に所望する強度の磁場を発生可能とする機能を果たすものであり、水流空間に向けてＮ極面を、露出させた永久磁石からなるものとしなければならず、望ましくは水流方向に複数に分断された永久磁石を配列したものとするのがよく、管路本体の中心側へ向けて露出されたＮ極面を水流に対して略平行な平面状に形成したものとするのが望ましい。
【００２９】
Ｓ極用永久磁石は、管路本体内の水流空間を挟み、Ｎ極面に対峙して水流空間の所定範囲に渡り、所望する強さの磁場を発生し、通過する流体を磁化し、活性化させるという機能を果たし、Ｎ極面と同様に平面状のＳ極面を有し、水流方向に複数に分断された永久磁石を配列したものとするのが望ましく、Ｎ極面に対してＳ極面を、水流空間を挟んで略平行状に対峙させるよう配置、固定されたものとすべきであり、前記Ｎ極用永久磁石ならびにＳ極用永久磁石は、通過する浄水に直接、接しても腐触しないフェライト磁石製のものとするのがよい。
【００３０】
軟水装置は、供給された水道水等の浄水を、軟水化する機能を果たすものであり、より具体的には、カルシウム、マグネシウムのイオンを含む硬水に、イオン交換等の操作を加えることにより、ナトリウムイオンを含み、カルシウム、マグネシウムイオンを含まない軟水に変化させるものであって、例えば、通過する浄水を陽イオン交換樹脂によって軟水化するものであるということができる。
以下では、図面に示すこの発明を代表する実施例と共に、その構造について詳述することとする。                                                                                                    
【実施例】
【００３１】
図１のクリーニングシステムの配管図、図２の磁石内蔵管の断面図、図３の図２中Ａ−Ａ部分の断面図、図４の図２中Ｂ−Ｂ部分の断面図、および図５の断面化した磁石内蔵管の斜視図に示される事例は、洗浄機１に洗浄用給水管路３および濯ぎ用給水管路４を並列状に接続すると共に、該洗浄用給水管路３の中途適所には軟水装置５を設けた上、当該洗浄用給水管路３における洗浄機１と軟水装置５との中間適所、および当該濯ぎ用給水管路４の中途適所との夫々には、管路本体６１の周壁内一方側に、水流空間６２にＮ極面を露出するよう規制したＮ極用永久磁石７１を配すると共に、同周壁内の他方側に、水流空間６２を挟んでＳ極面が対面、露出するよう規制したＳ極用永久磁石８１を配してなる磁石内蔵管６，６を個別に介在、連結するようにしたこの発明に包含されるクリーニングシステムにおける代表的な一実施例を示すものである。
【００３２】
当該クリーニングシステムは、図１中に示すように、屋内適所に設置された３台の洗浄機（Ｎｏ．１，〜Ｎｏ．３）１，１，１の各給水部分夫々に、電磁バルブ２１を有する１本の浄水道である給水管２から２本に分岐された一方の洗浄用給水管路３と、他方の濯ぎ用給水管路４とが、夫々の川下側を３本に分岐させ、互いに並列状となるよう接続したものとなり、該洗浄用給水管路３中途の上流側となる適所には軟水装置５を設け、さらに軟水装置５と下流側分岐箇所との間には、後述する磁石内蔵管６を接続したものとなっており、該濯ぎ用給水管路４の中途適所には、前記洗浄用給水管路３に設けたものと同一構造の磁石内蔵管６を設けたものとし、また、各洗浄機１，１，１には、図示しない浄化施設に通じる排水路１１，１１，１１が接続されている。
【００３３】
磁石内蔵管６は、図２ないし図５中に示すように、全長が約８１０ｍｍ前後の非磁性ステンレス製であり、両端開口径が約６５ｍｍ前後とされ、両端間の外径寸法が約１１４ｍｍ前後とするよう外側に膨出された管路本体６１を有し、該管路本体６１の周壁内の一方側には、その管路長の略中央となる約５００ｍｍ前後の範囲に渡り、図５中に示すように、水流方向寸法Ｌが約５０ｍｍ、水流に直交する方向の寸法Ｗが約７８ｍｍ、厚み寸法Ｔが約１５ｍｍであって２００ないし４００Ｇの磁力線が、厚み方向に放出される平板状に形成された合計１０個のフェライト磁石７１，７１，……の各Ｎ極面を、その露出Ｎ極面自体によって仕切られる水流空間６２に向けて露出させた姿勢で、流路に沿って配列し、図２および図４中に示すように、管路本体６１周壁内面に固着、一体化された非磁性金属枠６３によって固定され、Ｎ極用フェライト磁石群７を形成し、さらに管路本体６１周壁内のこれとは反対側となる対称位置には、同一寸法に形成され、厚み方向に磁力線が放出される１０個のフェライト磁石８１，８１，……の各Ｓ極面を、そのＳ極面によって仕切られる水流空間６２に露出させた姿勢に配列し、管路本体６１周壁内面に固着、一体化された非磁性金属枠６３によって固定し、Ｓ極用フェライト磁石群８を形成したものとなっている。
【００３４】
該非磁性金属枠６３は、図４中に示すように、概略矩形筒状に形成され、管路本体６１中に装着し、一体化されたものとなっており、適所に形成された複数個の固定爪６４，６４，……によって各Ｎ極用フェライト磁石群７とＳ極用フェライト磁石群８との夫々を互いに平行状に固着すると同時に、各Ｎ極用フェライト磁石群７とＳ極用フェライト磁石群８との流路に直交する方向の（図５中に寸法Ｗで示す方向の）端部同士を隠蔽状に連結し、各Ｎ極用フェライト磁石群７とＳ極用フェライト磁石群８とが露出する幅を約７８ｍｍ、Ｎ極用フェライト磁石群７とＳ極用フェライト磁石群８との対峙距離が約３２ｍｍとなる矩形柱状断面の水流空間６２を形成するものとなっており、さらに、図３中に示すように、各Ｎ極用フェライト磁石群７とＳ極用フェライト磁石群８との上流側および下流側の両端部分の夫々を、中央に水流空間６２に相当する部分を矩形状に開口した隔壁板６５，６５で密閉状に閉鎖したものとなっている。
【００３５】
前述した磁石内蔵管６の各部寸法は、直径６５ｍｍの管路中を一般的な水道圧力で流れる水量を円滑に磁化活性、可能とするに最も望ましいと考えられる寸法に設定したものであり、各フェライト磁石７１，７１，………，８１，８１，……や、その設置範囲等も同様にして寸法設定されたものであって、露出Ｎ極面と露出Ｓ極面との対峙寸法も、約２５ないし３５ｍｍ前後を越えて離れると、２００ないし４００Ｇの磁力では、十分な磁化活性機能を発揮させることができなくなってしまい、また、あまり近接させると、十分な流水量を確保できなくなってしまうものである。また、隔壁板６５，６５は、キャビテーションの発生を防止できるよう、端部側から中央に向けて縮径する漏斗状あるいは曲面状等の傾斜面状に形成することも可能である。
【００３６】
（実施例の作用）
以上のとおりの構成からなるこの発明のクリーニングシステムは、この発明に包含されるクリーニング方法に利用するものなので、以下では当該クリーニング方法に従いクリーニングシステムの作用について示すこととする。
図１中に示す各洗浄機（Ｎｏ．１，〜Ｎｏ．３）１，１，１の電源を投入し、クリーニングシステムを起動させ、夫々の洗浄機１，１，１に、洗浄の対象物である衣類や寝具類等を投入し、洗剤等を一切投入せずに、洗浄工程、濯ぎ工程、ないし脱水、乾燥工程までを各々の洗浄条件の下で全自動制御するよう入力、操作すると、各洗浄機１，１，１は、投入された洗浄対象物の素材や汚れの度合い等に応じて設定された条件で、夫々洗浄を開始する。
【００３７】
各洗浄機１，１，１は、洗浄用給水管路３を通じて給水を始めるが、そのとき洗浄用給水管路３を通じて供給される浄水は、給水管２から供給された水道水が、軟水装置５を通過することにより、カルシウムイオンおよびマグネシウムイオンを交換吸収し、ナトリウムイオンの放出を受けて軟水化され、その後、下流側に配設された磁石内蔵管６の、図２ないし図５中に示される、水流空間６２を通過することによって強力に磁化された活性水となっており、洗浄工程で洗浄対象物に付着している油汚れ等を強力に分解、除去するものとなり、所定時間に渡って洗浄を行った後に、排水路１１，１１，１１を通じて適時排出されるものとなる。
【００３８】
洗浄工程に続き、脱水工程に入ると、各洗浄機１，１，１は、磁石内蔵管６を有する濯ぎ用給水管路４を通じて、磁化活性水の供給を受け、洗浄対象物の素材や汚れの状態等の各種条件に応じた脱水工程を、夫々の設定に応じた時間に渡り実行し、濯ぎ洗いの際にも、磁化活性水による汚れの分解、浄化力が、十分に発揮され、その後の排水によって洗浄対象物への不純物質の残存を最小限に抑えるものとなる。
【００３９】
濯ぎ工程後の排水を終えた各洗浄機１，１，１は、夫々の洗浄対象物の条件に応じて温度や時間を自動的に調節し、脱水および乾燥を行い、当該クリーニングシステムによる洗浄の全工程を終えることとなり、各洗浄機１，１，１から取り出した洗浄対象物をアイロンや防水、撥水処理等の各種、次工程へと送り出すこととなる。
下記表１は、試験布の汚れ度Ｆ１ないしＦ３に応じて、１００ｃｃないし３００ｃｃの洗剤を使用した従来型クリーニングの、洗濯前と洗濯後の布をデジタル反射計で測定した場合の、白色度差を算出した結果である。                                                                
【表１】
2006087752.tif 000003
【００４０】
表１の白色度差を、下記表２中に示す、当該クリーニングシステムを利用したクリーニング方法によって洗浄した布の、洗浄前と洗浄後のデジタル反射計による測定値差と比較すると、布色が黒の場合には、デジタル反射計の特性上、然程の差異が観られなかったが、布色がピンク、茶の場合には、磁石内蔵管６，６を使用せずに洗剤を使用した従来型の洗浄に比較して、洗剤を全く使わずに磁石内蔵管６，６を使用した場合のほうが、秀れた洗浄力を発揮することが確認された。                                                                    
【表２】
2006087752.tif 000004
【００４１】
（実施例の効果）
以上のような構成からなる実施例のクリーニングシステムは、前記この発明の効果の項で記載の特徴に加え、１本の給水管を分岐させて洗浄用給水管路３と濯ぎ用給水管路４とを形成し、夫々に１台ずつの磁石内蔵管６，６を設けたことにより、各洗浄用給水管路３および濯ぎ用給水管路４の下流側を複数本に分岐させ、夫々に対応する洗浄機を複数台、接続することが可能となるので、洗浄機の台数分毎に磁石内蔵管６を設置する必要がなく、秀れた経済性を確保することができるという利点を得られるものとなる。
【００４２】
以上の実施例の作用の項に示したクリーニング方法によれば、３台の洗浄機１，１，１は、夫々に投入された洗浄対象物の素材や汚れの種類や度合い等、様々な条件に応じて、洗浄時間や濯ぎ時間および夫々の攪拌の強さ等を、個別に制御することができるので、あらゆる衣類や寝具類等に最適な洗浄を行うことができるものとなり、しかも洗浄用給水管路３ならびに濯ぎ用給水管路４に設けられた軟水装置５や磁石内蔵管６，６は、特別な制御を必要とせず、夫々の管路３，４を浄水が通過するだけで、自動的に軟水化および磁化活性水とすることができるので、制御装置の複雑化を防ぎ、経済的且つ効率的なクリーニングを実現化することができるという特徴が得られることとなる。
【００４３】
さらに、実施例中に示した磁石内蔵管６は、Ｎ極用フェライト磁石群７とこれに対峙するＳ極用フェライト磁石群８とを、夫々１０枚のＮ極用フェライト磁石７１，７１，……ならびに１０枚のＳ極用フェライト磁石８１，８１，……から形成したことにより、一体の磁石から形成した場合に比較して、より強い磁力を得ることができると共に、Ｎ極用フェライト磁石群７とＳ極用フェライト磁石群８とを平行状に対峙させたことによって対峙範囲の全体に渡り、均質な磁力線を発生させることができる上、互いの対面間隔寸法を、各Ｎ極用フェライト磁石７１およびＳ極用フェライト磁石８１の幅寸法Ｗ約７８ｍｍや、水流方向寸法Ｌ約５０ｍｍよりもさらに小さな約３２ｍｍに設定しあり、磁力が対峙間隔の２乗に反比例するという性質を最大限に活かすことができるものとなり、従来型の管路本体６１外側に磁石を設置する場合に、その磁束密度を１０００ないし３０００Ｇ程度を必要とするのに比較して、当該磁石内蔵管６では、各フェライト磁石７１，７１，……，８１，８１，……の磁束密度を２００ないし４００Ｇ程度に設定することができ、しかも格段に効率的に水流空間６２を通過する浄水を活性化させ得るものとなり、その結果として大幅な洗浄力のアップを実現可能とするものになるという秀れた効果が得られることとなる。
【００４４】
（結  び）
叙述の如く、この発明のクリーニングシステム、およびそれを利用したクリーニング方法ならびにそれに使用可能な磁石内蔵管は、その新規な構成によって所期の目的を遍く達成可能とするものであり、しかも製造も容易で、従前からのクリーニングシステムに軟水装置と磁石内蔵管とを設置するだけで、洗剤の使用量を格段に減少させるか、あるいは全く不要とすることができるため、皮膚過敏症や化学物質過敏症、アトピー性皮膚炎、喘息等の症状に悩まされている人々に、化学物質が殆ど残存しないクリーニングを提供できる上、洗剤や残留塩素等の付着を無くして洗浄機を衛生的に維持できるものとなって、クリーニングシステム全体の耐用年数を大幅に延長できるから、洗剤を使用する従来型に比較して遥かに経済的なものとなる上に、排水にも洗剤成分を含まず、それ自体が浄化作用を発揮するので自然環境にも優しいという特徴を持つことから、クリーニング業界のみならず、様々な産業用の洗浄装置等にも広く応用することができるので、多方面から高く評価されて広範に渡って利用、普及していくものになると予想される。                                            
【図面の簡単な説明】
【００４５】
図面は、この発明のクリーニングシステム、およびそれを利用したクリーニング方法、ならびにそれに使用可能な磁石内蔵管の技術的思想を具現化した代表的な一実施例を示すものである。
【図１】クリーニングシステムの基本的構成を示す配管図である。
【図２】磁石内蔵管の構造を示す断面図である。
【図３】図２中のＢ−Ｂ線部分の構造を示す断面図である。
【図４】図２中のＡ−Ａ線部分の構造を示す断面図である。
【図５】磁石内蔵管の流路を断面化して示す斜視図である。
【符号の説明】
【００４６】
１      洗浄機
１１    同  排水路
２      給水管
２１    同  電磁バルブ
３      洗浄用給水管路
４      濯ぎ用給水管路
５      軟水装置
６      磁石内蔵管
６１    同  管路本体
６２    同  水流空間
６３    同  非磁性金属枠
６４    同  固定爪
６５    同  隔壁板
７      Ｎ極用フェライト磁石群
７１    同  Ｎ極用フェライト磁石
８      Ｓ極用フェライト磁石群
８１    同  Ｓ極用フェライト磁石
Ｌ      フェライト磁石の水流方向寸法
Ｗ      フェライト磁石の水流に直交する方向の寸法
Ｔ      フェライト磁石の厚み寸法
【図１】
2006087752.tif 000005
【図２】
2006087752.tif 000006
【図３】
2006087752.tif 000007
【図４】
2006087752.tif 000008
【図５】
2006087752.tif 000009